(57)【要約】【課題】筆記による先部材１２の往復動によって芯ホルダー１６が一方向に回転し、この芯ホルダー１６の回転に伴って芯１４を回転させることができ、しかも、芯１４の回転を示す表示を先部材１２の窓部１２Ａより目視可能なシャープペンシルに適用できる。【解決手段】筆記によるチャック５及び連結具９の前後動と連動してスライド部材３が前後動する。すると、摺動部材１７の前カム１７Ａと回転部材１３の前カム１３Ｂ及び摺動部材１７の後カム１７Ｂと回転部材１３の後カム１３Ｃが前後して互いに当接し、回転部材１３が一方向に回転する。この回転部材１３と連動して芯ホルダー１６を所定角度毎に回転させ、芯ホルダー１６に適度の力で保持された芯１４を回転させる。また、先部材１２に透明性を有する窓部１２Ａを形成し、かつ、回転部材１３に表示１３Ａを設け、先部材１２の窓部１２Ａを通して回転部材１３の表示１３Ａを目視可能に構成する。【選択図】図１
2013103424.tif 000002
【特許請求の範囲】
【請求項１】
チャックの頭部に締具を外嵌し、前記チャックをチャックスプリングにより長手方向後方に付勢し、チャックに押圧された締具を受け止める連結具をスライド部材に対し回動可能に構成し、把持部材に対して前記スライド部材を長手方向に移動可能で回動不能に構成し、このスライド部材の前部に先部材を設け、かつ、スライド部材の前方にスライド部材に対して回動不能に摺動部材を構成し、更に、摺動部材に前カムと後カムを形成するとともに前記先部材内に内蔵された回転部材に前カムと後カムを形成し、前記摺動部材の前カムと回転部材の前カムを互いに当接可能に構成するとともに、摺動部材の後カムと回転部材の後カムを互いに当接可能に構成し、筆記によるチャック及び連結具の前後動と連動してスライド部材が前後動することにより、摺動部材と回転部材が互いに前後に移動し、摺動部材の前カムと回転部材の前カム及びカム部材の後カムと回転部材の後カムが前後して互いに当接することにより回転部材が一方向に回転し、この回転部材と連動して芯ホルダーを所定角度毎に回転させ、芯ホルダーの回転に伴って芯ホルダーに適度の力で保持された芯を回転させるとともに、先部材に透明性を有する窓部を形成し、かつ回転部材に表示を設け、先部材の窓部を通して回転部材の表示を目視可能に構成したことを特徴とするシャープペンシル。
【発明の詳細な説明】
【技術分野】
【０００１】
本発明は、筆記圧による先部材の往復動によって芯ホルダーが一方向に回転し、この芯ホルダーの回転に伴い芯を回転させるシャープペンシルに関するものである。
【背景技術】
【０００２】
従来、筆記芯が受ける筆記圧による後退動作および筆記圧の解除による前進動作を受けて回転子を一方向に回転駆動させる回転駆動機構が備えられ、前記回転子もしくは当該回転子の回転に連動して回転駆動される軸筒内に収納された構成要素の一部に表示部が施され、前記表示部が透明素材により構成された前記軸筒を介して視認できるように構成されたシャープペンシルが知られている。（特許文献１参照）
【０００３】
しかしながら、上記シャープペンシルは、軸筒を介して表示部を視認するので、筆記中は軸筒を把持する手で表示部が隠れてしまい、表示部を視認しにくいものであった。
【先行技術文献】
【特許文献】
【０００４】
【特許文献１】特開２０１１−５６９６５号公報
【発明の概要】
【発明が解決しようとする課題】
【０００５】
解決しようとする問題点は、軸筒を手で把持して筆記した時、表示部が手で隠れて視認しにくく、回転動作を確実に把握することができない点である。
【課題を解決するための手段】
【０００６】
本発明は、チャックの頭部に締具を外嵌し、前記チャックをチャックスプリングにより長手方向後方に付勢し、チャックに押圧された締具を受け止める連結具をスライド部材に対し回動可能に構成し、把持部材に対して前記スライド部材を長手方向に移動可能で回動不能に構成し、このスライド部材の前部に先部材を設け、かつ、スライド部材の前方にスライド部材に対して回動不能に摺動部材を構成し、更に、摺動部材に前カムと後カムを形成するとともに前記先部材内に内蔵された回転部材に前カムと後カムを形成し、前記摺動部材の前カムと回転部材の前カムを互いに当接可能に構成するとともに、摺動部材の後カムと回転部材の後カムを互いに当接可能に構成し、筆記によるチャック及び連結具の前後動と連動してスライド部材が前後動することにより、摺動部材と回転部材が互いに前後に移動し、摺動部材の前カムと回転部材の前カム及びカム部材の後カムと回転部材の後カムが前後して互いに当接することにより回転部材が一方向に回転し、この回転部材と連動して芯ホルダーを所定角度毎に回転させ、芯ホルダーの回転に伴って芯ホルダーに適度の力で保持された芯を回転させるとともに、先部材に透明性を有する窓部を形成し、かつ回転部材に表示を設け、先部材の窓部を通して回転部材の表示を目視可能に構成したことを最も主要な特徴とする。
【発明の効果】
【０００７】
本発明は、筆記圧による先部材の往復動によって芯ホルダーが一方向に回転し、この芯ホルダーの回転に伴って芯を回転させ、かつ、芯の回転を示す表示を把持した手で隠す恐れがなく、容易に目視できる利点が得られるものである。
【図面の簡単な説明】
【０００８】
【図１】図１は、本発明の実施例１のシャープペンシルにおいて、先部材の窓部と回転部材に形成された表示を示す主要部拡大平面図である。（実施例１）
【図２】図２は、本発明の実施例１のシャープペンシルを示す断面図である。（実施例１）
【図３】図３は、本発明の実施例１のシャープペンシルを示す主要部拡大断面図である。（実施例１）
【図４】図４は、図３のＡ−Ａ線を示す拡大断面図である。（実施例１）
【図５】図５は、図３における摺動部材と回転部材による回転機構の展開状態を示す主要部拡大説明図である。（実施例１）
【図６】図６は、本発明の実施例１のシャープペンシルにおいて筆圧を加えた状態を示す主要部拡大断面図である。（実施例１）
【図７】図７は、図６における摺動部材と回転部材の回転機構の展開状態を示す主要部拡大説明図である。（実施例１）
【図８】図８は、図６の状態から筆圧を解除した状態における摺動部材と回転部材の回転機構の展開状態を示す主要部拡大説明図である。（実施例１）
【図９】図９は、本発明の実施例２のシャープペンシルを示す主要部拡大断面図である。（実施例２）
【図１０】図１０は、図９における摺動部材と回転部材の回転機構の展開状態を示す主要部拡大説明図である。（実施例２）
【図１１】図１１は、実施例２のシャープペンシルにおいて、筆圧を加えた状態を示す主要部拡大断面図である。（実施例２）
【図１２】図１２は、図１１における摺動部材と回転部材の回転機構の展開状態を示す主要部拡大説明図である。（実施例２）
【図１３】図１３は、本発明の実施例３のシャープペンシルを示す主要部拡大断面図である。（実施例３）
【図１４】図１４は、本発明の実施例４のシャープペンシルを示す断面図である。（実施例４）
【発明を実施するための形態】
【０００９】
本発明は、筆記圧による先部材の往復動によって芯を回転し、この芯の回転を示す表示を先部材に形成した窓部を通して目視可能なシャープペンシルを実現した。
【実施例１】
【００１０】
以下、図１、図２、図３、図４、図５、図６、図７及び図８に基づいて、本発明における実施例１のシャープペンシルを説明する。また、図１の左側を前方とし、右側を後方とする。先ず、シリコンゴム等の軟質材で構成された把持部材１を前軸２に固定して取り付ける。この前軸２に前方よりスライド部材３を挿入するとともに後方より固定駒４を挿入し、スライド部材３と固定駒４を圧入固着する。このスライド部材３の後端と固定駒４の外段４Ａとの間に前軸２の内鍔２Ａを位置させ、前記前軸２の内鍔２Ａはスライド部材３の後端と固定駒４の外段４Ａの間を適宜前後動可能に構成する。また、スライド部材３の前部には円周方向等間隔に４個貫通したキー溝３Ａを形成し、このキー溝３Ａに前軸２の前部内面に内方に突出して形成されたキー２Ｂが係合し、スライド部材３と前軸２は長手方向には適宜移動可能でかつ回動不能に構成される。更に、前軸２のキー２Ｂの一部はスライド部材３の貫通したキー溝３Ａより内方に突出して構成される。
【００１１】
シャープペンシルの機構部は、頭部５Ａが数分割されたチャック５と、チャック５の頭部５Ａに外嵌される締具６と、チャック５の後部に固着されるコネクター７と、コネクター７に圧入固着されるパイプ状の芯タンク８と、締具６を受け止める連結具９と、連結具９とコネクター７の間に取付時荷重が１００ｇ程度で取り付けられるチャックスプリング１０とにより構成される。更に、芯タンク８の前部にゴム等の軟質材からなる前Ｏリング１１をコネクター７の外鍔７Ａと接触させて取り付ける。
【００１２】
前記機構部をスライド部材３の前方より挿入し、スライド部材３の内鍔３Ｂを連結具９の後部外鍔９Ａが挿通し、スライド部材３の内鍔３Ｂが連結具９の前部外鍔９Ｂと後部外鍔９Ａの間に回動自在に係合される。
【００１３】
更に、図１に示したように、先部材１２を透明あるいは着色した透明性を有する合成樹脂で構成し、表面に梨地加工や不透明のインキで印刷を行うかあるいは転写を行うとともに、その一部に透明性を有する窓部１２Ａを形成する。この先部材１２の後部に後端から切り欠かれて伸びたキー溝１２Ｂを相対位置に形成する。また、回転部材１３の周面に芯１４の回転が目視できるように表示１３Ａが設けられる。この表示１３Ａは、印刷、転写あるいはシール等により構成する。前記回転部材１３の前部に芯ガイドパイプ１５を固定するとともに、回転部材１３内に芯１４を５０ｇ程度の摩擦力で保持するゴム製の芯ホルダー１６を取り付ける。
【００１４】
次に、前記回転部材１３を回転させるための回転機構を説明すると、図５に示したように、回転部材１３に前外鍔の後面に形成した前カム１３Ｂと後外鍔の前面に形成した後カム１３Ｃを構成する。この回転部材１３の前カム１３Ｂは、右回転方向に向かって後方に傾斜する多数の傾斜面１３Ｄと、傾斜面１３Ｄと傾斜面１３Ｄの間に位置する垂直面１３Ｅにより構成する。また、回転部材１３の後カム１３Ｃは、右回転方向に向かって前方に傾斜する多数の傾斜面１３Ｆと、傾斜面１３Ｆと傾斜面１３Ｆの間に位置する垂直面１３Ｇにより構成する。更に、摺動部材１７の内側部に、前端面に形成した前カム１７Ａと後段面に形成した後カム１７Ｂを構成する。この摺動部材１７の前カム１７Ａは、左回転方向に向かって前方に傾斜する多数の傾斜面１７Ｃと、傾斜面１７Ｃと傾斜面１７Ｃの間に位置する垂直面１７Ｄにより構成する。また、摺動部材１７の後カム１７Ｂは、左回転方向に向かって後方に傾斜する多数の傾斜面１７Ｅと、傾斜面１７Ｅと傾斜面１７Ｅの間に位置する垂直面１７Ｆにより構成する。更に、摺動部材１７の前カム１７Ａの傾斜面１７Ｃと後カム１７Ｂの傾斜面１７Ｅは同数で、前カム１７Ａの垂直面１７Ｄと後カム１７Ｂの垂直面１７Ｆが長手方向に合わされている。また、回転部材１３の前カム１３Ｂの傾斜面１３Ｄと後カム１３Ｃの傾斜面１３Ｆも摺動部材１７の前カム１７Ａの傾斜面１７Ｃ及び後カム１７Ｂの傾斜面１７Ｅと同数で、前カム１７Ａの傾斜面１７Ｃの略中心に後カム１７Ｂの垂直面１７Ｆが位置する。前記摺動部材１７の内側部を前記回転部材１３の前カム１３Ｂと後カム１３Ｃの間に取り付け、回転部材１３の前カム１３Ｂと摺動部材１７の前カム１７Ａを対面させるとともに、回転部材１３の後カム１３Ｃと摺動部材１７の後カム１７Ｂを対面させて構成する。また、回転部材１３に対し、摺動部材１７は長手方向に適宜前後動可能に構成し、回転部材１３の前カム１３Ｂと摺動部材１７の前カム１７Ａ及び回転部材１３の後カム１３Ｃと摺動部材１７の後カム１７Ｂは当接可能に構成される。
【００１５】
この回転部材１３及び摺動部材１７は先部材１２に内蔵されるが、先部材１２のキー溝１２Ｂに摺動部材１７の相対位置に形成された突部１７Ｇが挿入され、先部材１２に対して摺動部材１７は長手方向に移動可能で回動不能に構成される。また、摺動部材１７の突部１７Ｇは先部材１２の後部周面より円周方向外方に突出する。この先部材１２の内段１２Ｃと摺動部材１７の外段１７Ｈとの間に前スプリング１８を取り付け、摺動部材１７を長手方向後方に付勢する。すると、回転部材１３に設けられた表示１３Ａが先部材１２の窓部１２Ａより目視可能となる。したがって、回転部材１３が回転する状態を先部材１２の窓部１２Ａより常時目視することができる。
【００１６】
上記先部材１２を前記スライド部材３に着脱可能に螺合し、先部材１２の係止段１２Ｄと連結具９の前端との間に回転部材１３を回動可能に内蔵し、取付時荷重１００ｇ程度で取り付けられた前スプリング１８により長手方向後方に付勢された摺動部材１７の後カム１７Ｂを回転部材１３の後カム１３Ｃに当接するとともに、摺動部材１７の突部１７Ｇを前軸２のキー２Ｂに当接させる。すると、前軸２の内鍔２Ａが固定駒４の外段４Ａに当接される。
【００１７】
更に、前軸２の後方から円筒状の重量体１９を挿入し、重量体１９を芯タンク８の外面と固定駒４の内面の間に長手方向に摺動可能に遊嵌する。尚、芯タンク８の外面と重量体１９の内面との隙間より重量体１９の外面と固定駒４の内面との隙間を狭く構成する。
【００１８】
後軸２０にはクリップ２１が一体に構成されるとともに、後軸２０の前方より中子２２を挿入する。この中子２２には内鍔２２Ａ前端にゴム等の軟質材からなる後Ｏリング２３を圧入固着する。また、後軸２０の後方より押圧部材２４を挿入し、中子２２の開口窓２２Ｂに押圧部材２４の係止突起２４Ａを係止するとともに押圧部材２４の前端を中子２２の内鍔２２Ａに当接し、中子２２と押圧部材２４を連結する。更に、後軸２０の内鍔２０Ａと押圧部材２４の外段２４Ｂとの間には取付時荷重３００ｇ程度でリターンスプリング２５を取り付け、押圧部材２４を長手方向後方に付勢する。この押圧部材２４には内孔２４Ｃが形成されて芯１４が通過可能に構成されるとともに、押圧部材２４の後部内側に消しゴム２６が取り付けられる。また、押圧部材２４の後部外側には消しゴム２６を覆うためにノブ２７が着脱可能に嵌合される。
【００１９】
この後軸２０を前記前軸２に着脱可能に螺合するとともに、芯タンク８内に予備の芯１４を収納して振出式のシャープペンシルを構成する。
【００２０】
前記シャープペンシルで筆記を行うと、芯１４が紙面に押され図６に示したように、筆圧を受けるチャック５、締具６、連結具９、スライド部材３、固定駒４、先部材１２及び回転部材１３は停止しているが、スライド部材３に対し手で把持された前軸２及び把持部材１は前進し、前軸２のキー２Ｂに突部１７Ｇが当接した摺動部材１７も前軸２とともに前スプリング１８を圧縮しながら前進する。すると、摺動部材１７の前カム１７Ａが回転部材１３の前カム１３Ｂに当接し、摺動部材１７の前カム１７Ａの傾斜面１７Ｃが回転部材１３の前カム１３Ｂの傾斜面１３Ｄに当接する。しかし、摺動部材１７は突部１７Ｇが先部材１２のキー溝１２Ｂに挿入されて回動不能となっているので、回転部材１３の前カム１３Ｂの傾斜面１３Ｄが摺動部材１７の前カム１７Ａの傾斜面１７Ｃの略半分を滑って、図７に示したように回転部材１３が前方に対して右回転する。回転部材１３とともに回転部材１３に取り付けられた芯ホルダー１６が右回転すると芯１４も右に回転する。この時、芯１４を保持するチャック５も、締具６及び連結具９とともにスライド部材３に対して右に回転する。また、先部材１２の窓部１２Ａより目視される回転部材１３の表示１３Ａが右に回転する。
【００２１】
次に、筆記を止め芯１４を紙面より離すと、手で把持された前軸２及び把持部材１に対して、前スプリング１８により前方に付勢された先部材１２及びスライド部材３が前進する。すると、スライド部材３とともに、連結具９、締具６、チャック５、回転部材１３、芯ホルダー１６が芯１４とともに前進する。そして、回転部材１３の後カム１３Ｃの傾斜面１３Ｆが摺動部材１７の後カム１７Ｂの傾斜面１７Ｅに当接し、回転部材１３の後カム１３Ｃの傾斜面１３Ｆが摺動部材１７の後カム１７Ｂの傾斜面１７Ｅの略半分を滑って図８に示したように回転部材１３が前方に対して右回転する。また、固定駒４の外段４Ａが前軸２の内鍔２Ａに当接し、図２及び図３の状態に復帰する。すると、回転部材１３の後カム１３Ｃの傾斜面１３Ｆは摺動部材１７の後カム１７Ｂの傾斜面１７Ｅを１つ乗り越えて右隣りの傾斜面１７Ｅに当接され、図８に示したように芯１４は回転部材１３の後カム１３Ｃの１つの傾斜面寸法だけ右に回転する。尚、チャック５、コネクター７及び芯タンク８と押圧部材２４が分離されているとともに、固定駒４と重量体１９の隙間より重量体１９と芯タンク８の隙間が大きく構成されているので、芯タンク８の回転を押圧部材２４や重量体１９によって妨げられる恐れはない。
【００２２】
筆記を行うことによって芯１４が摩耗した場合には、手で把持した把持部材１を振ると、重量体１９が先ず後方に移動して後Ｏリング２３に当接する。その反動で把持部材１を前方に振ると、重量体１９は前方に移動して前Ｏリング１１に当接する。この重量体１９の慣性力によりチャック５、コネクター７、芯タンク８を前進させ、従来公知の振出式シャープペンシルと同様に一定量芯１４を繰り出す。
【００２３】
この実施例１のシャープペンシルの場合には、回転部材１３を回転させる機構が先部材１２の中に内蔵されているので、連結具９の後方は通常の振出式シャープペンシルと同様の構造となり、容易に振出式のシャープペンシルを構成できる利点がある。また、先部材１２に回転部材１３を回転させる機構が内蔵されるので、回転機構及び機構部の組立を容易に行える利点がある。更に、芯１４をガイドする芯ガイドパイプ１５も芯１４とともに回転するので、芯１４と芯ガイドパイプ１５との間で摩擦力が発生する恐れは全くない。
【実施例２】
【００２４】
以下、図９、図１０、図１１及び図１２に基づいて本発明における実施例２のシャープペンシルを説明する。尚、図３と同一部材は同一の符号を付してその説明を省略する。先ず、図９において、前部に芯ガイドパイプ１５を固定した回転部材１１３に筒状の表示部材２８を圧入固着する。この表示部材２８の周面に芯１４の回転が目視できるように表示が設けられる。この表示は、印刷、転写あるいはシール等により構成する。前記回転部材１１３に芯１４を５０ｇ程度の摩擦力で保持するゴム製の芯ホルダー１６を取り付ける。
【００２５】
次に、前記回転部材１１３を回転させるための回転機構を説明する。回転部材１１３に突部を形成し、この突部の前面に前カム１１３Ｂを形成するとともに、突部の後面に後カム１１３Ｃを形成する。この回転部材１１３の前カム１１３Ｂは、図１０に示したように、右回転方向に向かって前方に傾斜する多数の傾斜面１１３Ｄと、傾斜面１１３Ｄと傾斜面１１３Ｄの間に位置する垂直面１１３Ｅにより構成する。また、回転部材１１３の後カム１１３Ｃは、右回転方向に向かって後方に傾斜する多数の傾斜面１１３Ｆと、傾斜面１１３Ｆと傾斜面１１３Ｆの間に位置する垂直面１１３Ｇにより構成する。更に、摺動部材１１７に、前内鍔の後面に形成した前カム１１７Ａと後内鍔の前面に形成した後カム１１７Ｂを構成する。この摺動部材１１７の前カム１１７Ａは、左回転方向に向かって後方に傾斜する多数の傾斜面１１７Ｃと、傾斜面１１７Ｃと傾斜面１１７Ｃの間に位置する垂直面１１７Ｄにより構成する。また、摺動部材１１７の後カム１１７Ｂは、左回転方向に向かって前方に傾斜する多数の傾斜面１１７Ｅと、傾斜面１１７Ｅと傾斜面１１７Ｅの間に位置する垂直面１１７Ｆにより構成する。更に、摺動部材１１７の前カム１１７Ａの傾斜面１１７Ｃと後カム１１７Ｂの傾斜面１１７Ｅは同数で前カム１１７Ａの傾斜面１１７Ｃの略中心に後カム１１７Ｂの垂直面１１７Ｆが位置する。また、回転部材１１３の前カム１１３Ｂの傾斜面１１３Ｄと後カム１１３Ｃの傾斜面１１３Ｆも摺動部材１１７の前カム１１７Ａの傾斜面１１７Ｃ及び後カム１１７Ｂの傾斜面１１７Ｅと同数で、前カム１１３Ｂの垂直面１１３Ｅと後カム１１３Ｃの垂直面１１３Ｇが長手方向に合わされている。前記摺動部材１１７の前カム１１７Ａと後カム１１７Ｂの間に回転部材１１３の突部を取り付け、回転部材１１３の前カム１１３Ｂと摺動部材１１７の前カム１１７Ａを対面させるとともに、回転部材１１３の後カム１１３Ｃと摺動部材１１７の後カム１１７Ｂを対面させて構成する。また、回転部材１１３に対し摺動部材１１７は長手方向に適宜前後動可能に構成し、回転部材１１３の前カム１１３Ｂと摺動部材１１７の前カム１１７Ａ及び回転部材１１３の後カム１１３Ｃと摺動部材１１７の後カム１１７Ｂは当接可能に構成する。
【００２６】
この回転部材１１３及び摺動部材１１７は先部材１２に内蔵されるが、先部材１２のキー溝１２Ｂに摺動部材１１７の相対位置に形成された突部１１７Ｇが挿入され、先部材１２に対して摺動部材１１７は長手方向に移動可能で回動不能に構成される。また、摺動部材１１７の突部１１７Ｇは先部材１２の後部表面より外方に突出する。更に、先部材１２の内段１２Ｃと摺動部材１１７の外段１１７Ｈとの間に前スプリング１８を取り付け、摺動部材１１７を長手方向後方に付勢する。すると、回転部材１１３に取り付けられた表示部材２８の表示が先部材１２の窓部１２Ａより目視可能となる。したがって、回転部材１１３が回転する状態を先部材１２の窓部１２Ａより常時目視することができる。
【００２７】
上記先部材１２をスライド部材３に着脱可能に螺合し、先部材１２の係止段１２Ｄと連結具９の前端との間に回転部材１１３を回動可能に内蔵し、取付時荷重１００ｇ程度で取り付けられた前スプリング１８により長手方向後方に付勢された摺動部材１１７の前カム１１７Ａを回転部材１１３の前カム１１３Ｂに当接するとともに、摺動部材１１７の突部１１７Ｇを前軸２のキー２Ｂに当接させる。すると、前軸２の内鍔２Ａが固定駒４の外段４Ａに当接され、振出式のシャープペンシルを構成する。
【００２８】
前記シャープペンシルで筆記を行うと、芯１４が紙面に押圧され図１１に示したように、筆圧を受けるチャック５、締具６、連結具９、スライド部材３、固定駒４、先部材１２及び回転部材１１３は停止しているが、スライド部材３に対し手で把持された前軸２及び把持部材１は前進し、前軸２のキー２Ｂに突部１１７Ｇが当接した摺動部材１１７も前軸２とともに前スプリング１８を圧縮しながら前進する。すると、摺動部材１１７の後カム１１７Ｂが回転部材１１３の後カム１１３Ｃに当接し、摺動部材１１７の後カム１１７Ｂの傾斜面１１７Ｅが回転部材１１３の後カム１１３Ｃの傾斜面１１３Ｆに当接する。しかし、摺動部材１１７は突部１１７Ｇが先部材１２のキー溝１２Ｂに挿入されて回動不能となっているので、回転部材１１３の後カム１１３Ｃの傾斜面１１３Ｆが摺動部材１１７の後カム１１７Ｂの傾斜面１１７Ｅの略半分を滑って図１２に示したように回転部材１１３が前方に対して右回転する。この回転部材１１３とともに、回転部材１１３に取り付けられた芯ホルダー１６が右回転すると芯１４も右に回転する。この時、芯１４を保持するチャック５も、締具６及び連結具９とともにスライド部材３に対して右に回転する。また、回転部材１１３に取り付けられた表示部材２８も右に回転し、先部材１２の窓部１２Ａより目視される表示部材２８の表示も右回転方向に移動する。
【００２９】
次に、筆記を止め芯１４を紙面より離すと、手で把持された前軸２及び把持部材１に対して、前スプリング１８により前方に付勢された先部材１２及びスライド部材３が前進する。すると、スライド部材３とともに、連結具９、締具６、チャック５、回転部材１１３、芯ホルダー１６が芯１４とともに前進する。そして、回転部材１１３に形成された前カム１１３Ｂの傾斜面１１３Ｄが摺動部材１１７に形成された前カム１１７Ａの傾斜面１１７Ｃに当接し、回転部材１１３の前カム１１３Ｂの傾斜面１１３Ｄが摺動部材１１７の前カム１１７Ａの傾斜面１１７Ｃの略半分を滑って回転部材１１３が前方に対して右回転する。また、固定駒４の外段４Ａが前軸２の内鍔２Ａに当接し、図９の状態に復帰する。すると、回転部材１１３の前カム１１３Ｂの傾斜面１１３Ｄは摺動部材１１７の前カム１１７Ａの傾斜面１１７Ｃを１つ乗り越えて右隣りの傾斜面１１７Ｃに当接され、芯１４は回転部材１１３の後カム１１３Ｃの１つの傾斜面１１３Ｆ寸法だけ右に回転する。また、表示部材２８の表示も同様に右に回転する。尚、チャック５、コネクター７及び芯タンク８が回転する時、芯タンク８と押圧部材２４が分離されているとともに、固定駒４と重量体１９の隙間より重量体１９と芯タンク８の隙間が大きく構成されているので、芯タンク８の回転を押圧部材２４や重量体１９によって妨げられる恐れはない。
【実施例３】
【００３０】
以下、図１３に基づいて本発明における実施例３のシャープペンシルを説明する。尚、図３と同一部材は同一の符号を付してその説明を省略する。先ず、表示部材１２８と基部材３０により回転部材２１３を構成し、この回転部材２１３を構成する表示部材１２８の後面に前カム２１３Ｂを形成するとともに、後外鍔の前面に後カム２１３Ｃを形成する。この表示部材１２８と基部材３０は圧入固着により一体に構成する。この回転部材２１３の前カム２１３Ｂは、右回転方向に向かって後方に傾斜する多数の傾斜面と、傾斜面と傾斜面の間に位置する垂直面により構成する。また、回転部材２１３の後カム２１３Ｃは、右回転方向に向かって前方に傾斜する多数の傾斜面と垂直面により構成する。また、回転部材２１３の前カム２１３Ｂの傾斜面及び後カム２１３Ｃの傾斜面は、摺動部材１７の前カム１７Ａの傾斜面１７Ｃと同数に形成する。更に、回転部材２１３の前カム２１３Ｂの傾斜面の略中心に後カム２１３Ｃの垂直面が位置する。そして、摺動部材１７の内側部を前記回転部材２１３の前カム２１３Ｂと後カム２１３Ｃの間に取り付け、回転部材２１３の前カム２１３Ｂと摺動部材１７の前カム１７Ａを対面させるとともに、回転部材２１３の後カム２１３Ｃと摺動部材１７の後カム１７Ｂを対面させて構成する。また、回転部材２１３に対し摺動部材１７は長手方向に適宜前後動可能に構成し、回転部材２１３の前カム２１３Ｂと摺動部材１７の前カム１７Ａ及び回転部材２１３の後カム２１３Ｃと摺動部材１７の後カム１７Ｂは当接可能に構成する。更に、表示部材１２８の周面に芯１４の回転が目視できるように表示が設けられる。この表示は、印刷、転写あるいはシール等により構成する。
【００３１】
更に、前記回転部材２１３の内面に後方から長手方向前方に伸びたキー溝２１３Ｈを相対位置に形成する。また、前部に芯ガイドパイプ１５を固定した中駒２９に芯ホルダー１６を取り付ける。前記中駒２９の外面の相対位置にキー２９Ａを形成する。この中駒２９を回転部材２１３の後方から挿入し、中駒２９のキー２９Ａを回転部材２１３のキー溝２１３Ｈに係合させることにより、回転部材２１３に対して中駒２９及び芯ホルダー１６を長手方向には摺動可能で回動不能に構成する。
【００３２】
この回転部材２１３及び摺動部材１７は先部材１２に内蔵されるが、先部材１２のキー溝１２Ｂに摺動部材１７の相対位置に形成された突部１７Ｇが挿入され、先部材１２に対して摺動部材１７は長手方向に移動可能で回動不能に構成される。また、摺動部材１７の突部１７Ｇは先部材１２の後部周面より円周方向外方に突出する。この先部材１２の内段１２Ｃと摺動部材１７の外段１７Ｈとの間に前スプリング１８を取り付け、摺動部材１７を長手方向後方に付勢する。すると、表示部材１２８に設けられた表示が先部材１２の窓部１２Ａより目視可能となる。したがって、表示部材１２８が回転する状態を先部材１２の窓部１２Ａより常時目視することができる。
【００３３】
したがって、芯１４が紙面に押圧され、回転部材２１３が前方に対して右回転すると、中駒２９及び芯ホルダー１６も右回転するために、芯１４も右に回転する。
【００３４】
この実施例３の場合には、携帯時に中駒２９及び芯ガイドパイプ１５を後退させれば、先部材１２内に芯ガイドパイプ１５を没入させることができる。
【実施例４】
【００３５】
以下、図１４に基づいて本発明における実施例４のシャープペンシルを説明する。尚、図１と同一部材は同一の符号を付してその説明を省略する。先ず、前軸２に前方よりスライド部材３を挿入するとともに後方より固定駒１０４を挿入し、スライド部材３と固定駒１０４を圧入固着する。このスライド部材３の後端と固定駒１０４の外段１０４Ａとの間に前軸２の内鍔２Ａを位置させ、前記前軸２の内鍔２Ａはスライド部材３の後端と固定駒１０４の外段１０４Ａとの間を適宜前後動可能に構成する。
【００３６】
シャープペンシルの機構部は、頭部１０５Ａが数分割されたチャック１０５と、チャック１０５の頭部１０５Ａに外嵌される締具６と、チャック１０５の後部に固着されるパイプ状の芯タンク１０８と、締具６を受け止める連結具９と、連結具９と芯タンク１０８の間に取付時荷重が５００ｇ程度で取り付けられるチャックスプリング１１０とにより構成される。
【００３７】
筆圧により芯１４が回転する操作及び芯１４の回転を表示する操作は実施例１と同様に行われる。尚、チャック１０５及び芯タンク１０８が回転する時、芯タンク１０８と押圧部材２４が分離されているので、芯タンク１０８の回転を押圧部材２４によって妨げられる恐れはない。
【００３８】
筆記を行うことによって芯１４が摩耗した場合には、ノブ２７を押圧することにより押圧部材２４を前進させ、押圧部材２４が芯タンク１０８の後端に当接して芯タンク１０８及びチャック１０５を前進させれば、従来公知のノック式シャープペンシルと同様に一定量芯１４を繰り出す。
【００３９】
尚、本発明は、上記実施例に限定されるものではなく、把持部材、先部材、スライド部材、固定駒、回転部材、摺動部材、連結具といった部材は説明を簡略化するためにそれぞれ１個の部材として図示しているが、それぞれ２個以上の部材を螺合、圧入等により一体化すれば良い。また、回転部材、中駒、芯ガイドパイプに取り付けられる芯ホルダーは、ゴムに限定されるものではなく、金属の板を筒状に形成し、その一部に弾性部を形成したり、回転部材、中駒あるいは芯ガイドパイプ等の一部に弾性部を形成して一体に構成しても良い。更に、上記実施例は前カムの傾斜面の略中心に後カムの垂直面を位置させて構成しているが、これは説明を明確にするためであって、本発明は、上記実施例に限定されるものではなく、互いに当接する前カムの傾斜面同士が接触して合致した時、互いに当接可能な後カムの接触面同士は離間するとともに傾斜面寸法の略半分程度円周方向にずれて構成され、かつ、前カムの傾斜面と後カムの傾斜面が円周方向に対して逆向きに傾斜して構成されていれば良い。
【産業上の利用可能性】
【００４０】
筆記圧による先部材の往復動によって芯ホルダーが一方向に回転し、この芯ホルダーの回転に伴って芯を回転させることができ、しかも、芯の回転を示す表示を先部材の窓部より目視可能なシャープペンシルに適用できる。
【符号の説明】
【００４１】
１    把持部材
３    スライド部材
５    チャック
５Ａ    チャック５の頭部
６    締具
９    連結具
１０    チャックスプリング
１２    先部材
１２Ａ    先部材１２の窓部
１３    回転部材
１３Ｂ    回転部材１３の前カム
１３Ｃ    回転部材１３の後カム
１４    芯
１６    芯ホルダー
１７    摺動部材
１７Ａ    摺動部材１７の前カム
１７Ｂ    摺動部材１７の後カム
１０５    チャック
１０５Ａ    チャック１０５の頭部
１１０    チャックスプリング
１１３    回転部材
１１３Ｂ    回転部材１１３の前カム
１１３Ｃ    回転部材１１３の後カム
１１７    摺動部材
１１７Ａ    摺動部材１１７の前カム
１１７Ｂ    摺動部材１１７の後カム
２１３    回転部材
２１３Ｂ    回転部材２１３の前カム
２１３Ｃ    回転部材２１３の後カム
【図１】
2013103424.tif 000003
【図２】
2013103424.tif 000004
【図３】
2013103424.tif 000005
【図４】
2013103424.tif 000006
【図５】
2013103424.tif 000007
【図６】
2013103424.tif 000008
【図７】
2013103424.tif 000009
【図８】
2013103424.tif 000010
【図９】
2013103424.tif 000011
【図１０】
2013103424.tif 000012
【図１１】
2013103424.tif 000013
【図１２】
2013103424.tif 000014
【図１３】
2013103424.tif 000015
【図１４】
2013103424.tif 000016